(57)【要約】【課題】画像形成装置で使用する構成部品を少なくし、製造にかかるコストを低減した画像形成装置を提供することを目的とする。【解決手段】感光体の残留電荷の除去に用いるイレーズ手段としての発光素子とトナーの残量検知に用いる光学素子を共用する。【選択図】図１
2006243629.tif 000002
【特許請求の範囲】
【請求項１】
表面に感光層を備えた感光体と、前記感光体上に配置され前記感光層に電荷を付与する帯電手段と、前記感光層を画像データに基づいて露光して静電潜像を形成する露光手段と、前記感光体に形成された前記静電潜像にトナーを付着させてトナー画像を形成する現像手段と、前記現像手段で使用されるトナーを収容するトナー収容手段とを備えた画像形成手段を少なくとも一つ備え、前記感光体に形成されたトナー画像を、中間転写部材を介して、もしくは媒体搬送部材で搬送される記録媒体に直接転写して画像を形成する画像形成装置であって、発光素子と受光素子を組み合わせて前記現像手段の前記トナーの残量を検知するトナー残量検知手段を備え、さらに、前記感光体上に前記トナーを付着させてトナー画像を形成させた後、前記感光層上に前記帯電手段によって再度電荷を付与するまでの間に前記感光層上に残留した電荷を除去するイレーズ手段として発光素子を備えた画像形成装置において、
前記トナー残量検知手段に用いる発光素子と前記イレーズ手段に用いる発光素子を共用させたことを特徴とする画像形成装置。
【請求項２】
請求項１記載の画像形成装置において、前記感光体、前記現像手段、前記トナー収容手段の少なくとも一つが画像形成装置本体から着脱可能な画像形成ユニットとして構成され、前記発光素子が前記画像形成装置本体に備わることを特徴とする画像形成装置。
【請求項３】
請求項１に記載の画像形成装置において、前記感光体、前記現像手段、前記トナー収容手段の少なくとも一つが画像形成装置本体から着脱可能なユニットとして構成され、前記発光素子が前記着脱可能なユニットに備わることを特徴とする画像形成装置。
【請求項４】
請求項１ないし３の少なくとも１項に記載の画像形成装置において、前記イレーズ手段の前記発光素子から照射した光を導光手段を介して感光体に導いたことを特徴とする画像形成装置。
【請求項５】
請求項１ないし４の少なくとも１項に記載の画像形成装置において、前記発光素子の発光光量を変化させる発光光量調整手段を備えることを特徴とする画像形成装置。
【請求項６】
感光体、現像手段、トナー収容手段の少なくとも１つと、トナー残量検知手段及びイレーズ手段に共用される発光素子を備えたことを特徴とする画像形成ユニット。
【請求項７】
請求項６記載の画像形成ユニットが受光素子を備えたことを特徴とする画像形成ユニット。
【発明の詳細な説明】
【技術分野】
【０００１】
本発明は、電子写真技術を用いて画像を形成する複写機、プリンタ、ファックスなどの画像形成装置に係り、特にトナーを用いて画像を生成する画像形成装置に関する。
【背景技術】
【０００２】
電子写真方式では、感光体上に帯電ローラなどの帯電手段を用いて一様に電荷を付与し、電荷を付与させた感光体上に露光手段を用いて画像データに対応した静電潜像を形成し、静電潜像の電荷パターンに対応させて帯電した粉体であるトナーを感光体上に付着させることで静電潜像にトナー画像を形成し、トナー画像を中間転写部材である中間転写ベルトを介して用紙などの記録媒体に、あるいは直接用紙などの記録媒体に転写して画像を形成する。
【０００３】
記録媒体にトナーを転写させた後の感光体上には残留した電荷が存在しているため、再度画像を形成する前にイレーズ手段にて残留電荷を除去する。イレーズ手段としては、光を照射して電荷を除去する方法や導電性ブラシなどを接触させて電荷を除去する方法が考えられている。
【０００４】
カラー画像を形成する場合は、複数色のトナー、例えばイエロー（Ｙ）、マゼンタ（Ｍ）、シアン（Ｃ）、ブラック（Ｋ）等の色トナーを重ね合わせて画像を形成する。
【０００５】
カラー画像を形成する方式には、大別して２種類ある。１つは、１つの感光体に各色のトナーを繰り返し現像してカラー画像を形成する繰り返し現像方式であり、もう１つは、複数の感光体で各色のトナーを同時に現像してカラー画像を形成する同時現像方式である。
【０００６】
このうち繰り返し現像方式は、１つの感光体を用いてカラー画像を形成する方式で、この方式の一例として中間転写体方式がある。この中間転写体方式とは、たとえば特許文献１に記載のように、感光体の周囲に各々異なる色トナーを現像する複数個の現像器と媒体搬送部材を配置し、感光体上に形成したトナー画像を媒体搬送部材上に順次一色ずつ転写する方式である。この動作を各色毎に繰り返して複数の色トナー画像を媒体搬送部材上で重ね合わせた後、媒体搬送部材上に形成されたカラーのトナー画像を用紙に転写してカラー画像を出力する。
【０００７】
この方式では、例えばイエロー、マゼンタ、シアン、ブラックの４色のトナー画像を一色ずつ感光体上に順次形成しては媒体搬送部材に重ねあわせて転写し、全ての画像が転写されてから媒体搬送部材上に形成されたカラー画像を用紙などの媒体に転写する。このように順次色重ねを行うので、ブラック一色のみからなるモノクロ画像を形成する場合と印刷時間を比較すると、画像形成におよそ４倍の時間を要する。
【０００８】
しかし、一つの感光体の周囲に印写に必要な帯電、露光、転写、クリーナ、イレーズを各一つと4色分の現像器で構成できるため、部品点数が少なくてすむ。
【０００９】
一方、同時現像方式とは、特許文献２に記載されたように、複数の各色毎に対応した複数の感光体を備え、各感光体でほぼ同時にトナー画像を形成し、用紙の搬送に対応させてトナー画像を転写して、カラー画像を形成するもので、タンデム方式とも呼ばれる。
【００１０】
タンデム方式では、感光体、帯電手段、露光手段、現像手段、クリーナ手段をそれぞれ備えた画像形成手段を各色毎に独立して備えるので、イエロー、マゼンタ、シアン、ブラックの４色のトナーによってカラー画像を形成する場合には画像形成手段を４式備えなくてはならない。
【００１１】
それら４色の独立した画像形成手段においてほぼ同時並行してトナー画像を形成して、しかる後にトナー画像を中間転写体または用紙などの媒体に転写する。このように同時に色重ねを行うので、ブラック一色のみからなるモノクロ画像を形成する場合と印刷時間を比較して、ほぼ同等の時間でカラー画像を形成でき、カラー画像の高速印刷に向いた方式である。
【００１２】
しかし、各色毎に画像形成に必要な印写プロセスを全て用意しているため、部品点数が多くなる。
【００１３】
特許文献２には、現像器のトナー残量検知の方法が記載されており、トナー残量検知手段は、画像形成装置に配置された発光素子と受光素子で構成されたトナーセンサと現像器に設けられたトナー検出用窓とで構成されている。
【００１４】
現像器内にトナーが無い時は、発光素子より照射された光が現像器のトナー検出用窓を透過し、現像器内部を通って反対側のトナー検出用窓を透過して受光素子で受光する。
【００１５】
また、現像器内にトナーが存在する時は、発光素子より照射された光が現像器の現像器内にあるトナーに阻まれて反対側の受光素子まで到達しない。このとき、受光素子では、受光した光の量に比例した電圧などを出力するので、トナーの有無を検知することができる。
【００１６】
また、特許文献３では、残留した電荷のイレーズ方法として、転写手段と帯電手段の間にＬＥＤランプまたは蛍光灯などの発光素子を配置し、感光体に光を照射することで感光体に残留した電荷を除去することができると記載されている。
【００１７】
さて、近年、オフィスでは文書のカラー化の要求が高まっているために、カラープリンタが急速に普及し、プリンタの低価格化が進みつつある。さらに、印刷の高速化が望まれているために、タンデム方式のカラープリンタが注目されている。
【００１８】
ところが、タンデム方式のプリンタは、前述のように画像形成手段を４式備えるため、装置を小型にすることが困難であり、部品点数も多いことから繰り返し現像方式のプリンタと比べて大型で部品コストも高価にならざるを得なかった。その中で、トナー残量検知手段においては発光素子と受光素子の対および発光素子駆動回路、受光素子受信回路がそれぞれ4色分必要であり、製造コストの上昇を招いていた。
【特許文献１】特開平８−１３７１７９号公報
【特許文献２】特開平５−３５０９７号公報
【特許文献３】特開平１１−３４４９０９号公報
【発明の開示】
【発明が解決しようとする課題】
【００１９】
本発明において解決しようとする問題点は、画像形成装置にかかる構成部品を少なくし、製造にかかるコストを低減する点である。
【課題を解決するための手段】
【００２０】
本発明は、前記課題を解決するために、第１の手段として、表面に感光層を備えた感光体と、前記感光体上に配置され前記感光層に電荷を付与する帯電手段と、前記感光層を画像データに基づいて露光して静電潜像を形成する露光手段と、前記感光体に形成された前記静電潜像にトナーを付着させてトナー画像を形成する現像手段と、前記現像手段で使用されるトナーを収容するトナー収容手段とを備えた画像形成手段を少なくとも一つ備え、前記感光体に形成されたトナー画像を、中間転写部材を介して、もしくは媒体搬送部材で搬送される記録媒体に直接転写して画像を形成する画像形成装置であって、発光素子と受光素子を組み合わせて前記現像手段の前記トナーの残量を検知するトナー残量検知手段を備え、さらに、前記感光体上に前記トナーを付着させてトナー画像を形成させた後、前記感光層上に前記帯電手段によって再度電荷を付与するまでの間に前記感光層上に残留した電荷を除去するイレーズ手段として発光素子を備えた画像形成装置において、前記トナー残量検知手段に用いる発光素子と前記イレーズ手段に用いる発光素子を共用させたことを特徴とする画像形成装置としたものである。
【００２１】
また、第２の手段として、前記第１の手段記載の画像形成装置において、前記感光体、前記現像手段、前記トナー収容手段の少なくとも一つが画像形成装置本体から着脱可能な画像形成ユニットとして構成され、前記発光素子が前記画像形成装置本体に備わることを特徴とする画像形成装置とすることによって、部品点数の削減と共に、画像形成手段の補修、交換を容易に行えるようにしたものである。
【００２２】
第３の手段として、前記第１の手段記載の画像形成装置において、前記感光体、前記現像手段、前記トナー収容手段の少なくとも一つが画像形成装置本体から着脱可能なユニットとして構成され、前記発光素子が前記着脱可能なユニットに備わることを特徴とする画像形成装置とすることによって、部品点数の削減と共に、前記光学素子の補修、交換も容易におこなえるようにしたものである。
【００２３】
第４の手段として、前記第１の手段ないし第３の手段の少なくとも１の手段に記載の画像形成装置において、前記イレーズ手段の前記発光素子から照射した光を導光手段を介して感光体に導いたことを特徴とする画像形成装置とすることによって、発光素子の配置位置を適切に行うことが可能となるようにしたものである。
【００２４】
第５の手段として、前記第１の手段ないし第４の手段の少なくとも１の手段に記載の画像形成装置において、前記発光素子の発光光量を変化させる発光光量調整手段を備えることを特徴とする画像形成装置とすることによって、発光素子の発光光量を減少または発光禁止をして、使用者に対して常に良好な画像品質を提供可能としたものである。
【００２５】
第６の手段として、感光体、現像手段、トナー収容手段の少なくとも１つと、トナー残量検知手段及びイレーズ手段に共用される発光素子を備えたことを特徴とする画像形成ユニットとすることによって部品点数の削減が可能な画像形成ユニットを提供可能としたものである。
【００２６】
第７の手段として、前記第６の手段記載の画像形成ユニットにおいて、受光素子を備えたことを特徴とする画像形成ユニットとすることによって部品点数の削減が可能で、かつ受光素子の補修、交換も容易に行える画像形成ユニットを提供可能としたものである。
【発明の効果】
【００２７】
本発明による画像形成装置では、感光体上の残留した電荷を除去するイレーズ手段に用いる発光素子と現像手段でトナーの残量を検知するトナー残量検知手段に用いる発光素子を共用したので、発光素子とそれに付随する駆動回路などの部品点数を少なくし、コストを低減することが可能となる。
【発明を実施するための最良の形態】
【００２８】
（実施例１）
本発明装置の一実施例について図１（a）、（b）を用いて説明する。同図は、画像形成手段である印写ユニットを用いた画像形成装置の全体構成（a）及び印写ユニット（b）を示す概略断面図である。以下画像形成装置及び印写ユニットについて説明する。
【００２９】
画像形成装置は、下部に印刷用の用紙19とそれを取り出すためのピックローラ18が備えられている。
【００３０】
印写ユニット11a、１１b、１１c、１１dには、図１（b）に示すように、それぞれ、表面に感光層を備えた円筒状で無端状の感光体2を中心に、その周囲に感光体2の感光層上に電荷を付与する帯電ローラ6、感光体2の感光層上に付与された電荷を画像情報に従い光を照射して静電潜像を形成する露光器5、静電潜像にトナーを現像する現像器4が配置されて構成されている。これらの印写ユニット11a、１１b、１１c、１１dは、カラー画像を形成するのに必要なイエロー、マゼンタ、シアン、ブラックの4色分のユニット（11a〜11d）として順次画像形成装置本体１から着脱自在に取り付けられている。
【００３１】
画像形成手段の１つである現像器4は、図１（b）に示すように、現像器ケース２０で囲われた中で静電潜像にトナーを現像するための現像ローラ8、現像ローラ8にトナーを供給するための供給ローラ9、現像に用いるトナーを蓄積しておくトナー容器21から構成されている。なお、図中、７は、感光体クリーナである。
【００３２】
本実施例においては、トナーの残量を検出するための受光素子15および発光素子14は、図１（a）に示すように、前記印写ユニット（11a〜11d）から分離して画像形成装置の本体１に取り付けられている。
【００３３】
印写ユニット11の感光体2は、媒体搬送部材3に当接しており、媒体搬送部材3を感光体2で挟む形で転写ローラ10が配置されている。
【００３４】
媒体搬送部材3は無端状のベルトであり、駆動ローラ24と従動ローラ25に環状に掛け渡された状態で装置本体1に水平方向に配置されている。ただし、駆動ローラ24と従動ローラ25の位置関係は、互いに入れ替わっている場合や、または、2本以上のローラによって構成されている場合であってもよい。
【００３５】
本実施例の画像形成装置では、カラー画像を形成するのに必要なイエロー、マゼンタ、シアン、ブラックの4色分の印写ユニット（11a〜11d）で構成されている。印写ユニット11a〜11dのそれぞれで、イエロー、マゼンタ、シアン、ブラックの各色を現像し、順次、中間転写ベルトとして用いている媒体搬送部材3に対してトナー画像を転写し、第２転写ローラ17によって、ピックローラ18より供給される用紙19にトナーを転写することで画像を形成する。
【００３６】
トナー画像を転写された用紙19は、定着器16によりトナーを熱と圧力により定着され、排紙される。
【００３７】
トナーの残量検知手段は、LEDなどの発光素子１４とフォトダイオードなどの受光素子１５の組み合わせからなる。発光素子14から照射された光は、現像器ケース20の中を通過して受光素子15に入射する。このとき、現像器ケース20内のトナー残量が少ない場合は発光素子14から照射される光のほとんどが受光素子15に入射する。
【００３８】
一方、現像器ケース20内にトナーが充填されている場合は受光素子15に入射する光が減少する。この受光素子15における入射光量の違いによりトナー残量を検知する。
【００３９】
次にイレーズ手段について説明する。発光素子14から照射された光は、その一部を導光路13によって、感光体2の端部を通り、転写ローラ10とクリーナ7との間に設置された導光板12まで導かれる。導光板12まで導かれた発光素子14より照射された光は、感光体2に対して拡散して照射され、感光体2に残留した電荷を除去する。
【００４０】
発光素子14から照射される光は、感光体2が持つ感度特性の波長と受光素子の感度特性の波長をともに含んでいることが望ましい。例えば、感光体２が波長780nmに感度を持ち受光素子15が波長880nmに感度を持つ場合、発光素子14は、発光波長780nmおよび880nmの領域の光を含んでいる。
【００４１】
本実施例では、トナー残量検知手段の発光素子とイレーズ手段の発光素子を発光素子14として共用しているので、発光素子に付随する駆動回路などの部品を削減することが可能となる。なお、図中の２２は、ベルトクリーナである。
【００４２】
（実施例２）
次に、本発明による他の実施例について、図2を用いて説明する。同図は、カラー画像を形成するのに必要なイエロー、マゼンタ、シアン、ブラックの4色分の印写ユニット（11a〜11d）の一つ11aを分離した画像形成装置の全体構成を示す断面図である。
【００４３】
画像形成装置を構成している各種部品の配置および機能は、実施例1にて説明した画像形成装置と同様である。ただし、実施例1においてトナー残量検知手段およびイレーズ手段に共用の発光素子１４は、画像形成装置の本体１に取り付けられていたが、この実施例においては、発光素子14が現像器４に取り付けられている。
【００４４】
そのため、発光素子14は、現像器4とともに交換可能な構成となっている。このような構成とすることで、実施例１に示した部品点数の削減とともに、発光素子１４の経時劣化に起因する光量低下から発生するイレーズ手段における電荷の除去不良などを防ぐことが可能となる。
【００４５】
（実施例３）
次に、本発明による他の実施例について図3を用いて説明する。同図は、カラー画像を形成するのに必要なイエロー、マゼンタ、シアン、ブラックの4色分の印写ユニット（11a〜11d）の一つ11aを分離した画像形成装置の全体構成を示す断面図である。
【００４６】
画像形成装置を構成している各種部品の配置および機能は、図1および図２にて説明した画像形成装置と同様である。ただし、実施例2においてトナー残量検知手段の受光手段１５は、画像形成装置の本体１に取り付けたが、本実施例においては、発光素子１４とともに受光手段１５が現像器４に取り付けられている。
【００４７】
そのため、発光素子１４および受光素子１５は、現像器4とともに交換可能である。このような構成とすることで、実施例２と同様の改善効果とともに、受光素子１５の経時劣化などによるトナー残量検知不良などを防ぐことが可能となる。
【００４８】
（実施例４）
次に、本発明による更に他の実施例について図4および図5を用いて説明する。
【００４９】
図4は、図２および図3で説明した印写ユニット11のみを取り出した図である。図5は、図4中のＡ-Ａ’線上で切断した際の上面から見たときの断面図である。
【００５０】
図４および図５で示した印写ユニット１１は、実施例１から３において説明した画像形成装置と同様の動作をする。本実施例では、発光素子１４から照射される光がイレーズ手段用の光路とトナー残量検知手段用の光路に分岐しており、発光素子１４を現像器４に組み込み易い構成となっている。
【００５１】
図中、３０、３１は、現像器ケース２０に穿設された透孔で、発光素子１４から受光素子１５に向けて照射された光が透過可能となっており、その内面には、透明なプラスチックシート３２が貼付されてトナーがケース２０から飛散するのを防止している。
【００５２】
なお、この例では、透明なプラスチックシート３２を使用したが、このプラスチックシートは必ずしも必要ではなく、この透孔に発光素子１４からの光を収束または発散させるレンズ等を接合させても良い。
【００５３】
（実施例５）
次に、本発明による更に他の実施例について図6および図7を用いて説明する。
【００５４】
図6は、図2および図3で説明した印写ユニット11のみを取り出した図である。図7は、図6中のＢ-Ｂ’線上で切断した際の上面から見たときの断面図である。
【００５５】
図６および図７で示した印写ユニット１１は、実施例１から３において説明した画像形成装置と同様の動作をする。本実施例では、発光素子１４から照射される光がイレーズ手段として用いる導光板１２にて照射された光の一部を感光体２へ照射し、一部をトナー残量検知手段用の光として導光路１３を透過して受光素子１５へと導く構成となっている。
【００５６】
このような構成とすることで、発光素子１４から照射した光を分岐する際の光量のロスを低減することが可能となる。
【００５７】
図中、３３は、導光路１３の先端の挿入を許容して、導光路１３の先端から放射される光が受光素子１５に向けて照射するための透孔である。
【００５８】
（実施例６）
次に、本発明による更に他の実施例について図8を用いて説明する。同図は、図2および図3で説明した印写ユニット11のみを取り出した図である。
【００５９】
図8で示した印写ユニット１１は、実施例１から３において説明した画像形成装置と同様の動作をする。本実施例では、発光素子１４および導光板１２を現像器４の下部に設置することにより、発光素子１４および導光板１２を現像器４に組み込み易い構成となっている。
【００６０】
（実施例７）
次に、本発明による他の実施例について図9を用いて説明する。同図は、発光素子14から照射された光路を模式的に示したものである。
【００６１】
発光素子14から照射された光は、二つの方向に分岐される。一つは、現像器ケース20を通り受光素子15に至る光路３４であり、トナー検知手段に用いる。もう一つは、導光路13を経て導光板12によって拡散され感光体2に至る光路３５であり、イレーズ手段に用いる。
【００６２】
導光路13は、透過性の例えばポリカーボネート、ポリエステル、アクリル樹脂やガラスなどで形成されており、導光板12まで発光素子14から照射された光を導く。導光板12は、透過性で光を拡散させる機能を有した例えばポリカーボネート、ポリエステル、アクリル樹脂やガラスなどで形成されており、照射された光を反射・拡散させ、感光体2に光を照射する役割を持つ。
【００６３】
（実施例８）
次に、本発明による他の実施例について図10を用いて説明する。同図は、発光素子14の光量制御装置の模式図である。
【００６４】
図10で示した現像器4は、実施例１から3において説明した画像形成装置と同様の動作をする。本実施例では、発光素子14の光量を制御するための電流制御回路23が画像形成装置本体１に取り付けられている。電流制御回路23は、現像器4が例えば寿命などで現像能力が低下した際に、例えば過電流を加えることで発光素子14を発光不可能な状態にする。
【００６５】
こうすることで、画像形成装置に現像能力が低下した現像器4が交換時期であることを報知し、使用者に対して常に良好な画像品質を提供することが可能となる。
【００６６】
（実施例９）
次に、本発明による他の実施例について図11を用いて説明する。同図は、発光素子14の光量制御装置の模式図である。図11で示した現像器4は、実施例１から3において説明した画像形成装置と同様の動作をする。
【００６７】
本実施例では、発光素子14の光量を制御するための電流制御回路23が前記現像器4に取り付けられている。電流制御回路23は、現像器4が例えば寿命などで現像能力が低下した際に、発光素子14に加える電流を制御し、発光素子14の発光光量を減少、あるいは、発光禁止に出来る。
【００６８】
こうすることで、実施例８と同様の効果を得ることが出来るとともに発光素子14のリサイクルが可能となる。
【００６９】
（実施例１０）
次に、本発明による他の実施例について図１２を用いて説明する。同図は、印写ユニット及びそれを用いた画像形成装置の全体構成を示す断面図である。
【００７０】
画像形成装置を構成している各種部品の配置及び機能は、実施例１にて説明した画像形成装置と同様である。但し、実施例１においてトナー残量検知手段及びイレーズ手段に共用する発光素子１４がイエロー、マゼンタ、シアン、ブラックの４色分の印写ユニット（11a〜11d）毎に備えられていたが、本実施例においては、導光路１３を使用して一つの発光素子１４で共用している。
【００７１】
そのため、実施例１で説明した画像形成装置よりも更に発光素子１４に付随する部品点数を削減できる。
【００７２】
上記の本発明による各実施例においては、媒体搬送部材3を中間転写体として用いた画像形成装置を例にあげているが、媒体搬送部材3を用紙搬送部材などで構成しても良い。
【００７３】
また、上記の本発明による各実施例においては、印写ユニット11を水平方向に配置した画像形成装置を例にあげているが、印写ユニット11を垂直または斜めに配置した構成としても良い。
【００７４】
印写ユニット１１では、帯電ローラ6として弾性体を表面に被覆したローラを例にあげているが、ブラシを表面に被覆したブラシローラや非接触方式の帯電装置を用いても良い。
【００７５】
さらに、露光器5としては、例えば感光体の幅方向に一列に配置されたＬＥＤアレイであって、例えば１インチ（２５．４ｍｍ）あたり６００個ないし１２００個の発光ダイオードを配置されており、各ダイオードを所定のタイミングで点滅させることができる装置、または、その他の手段としてレーザと回転ミラーを組み合わせた装置や発光装置とマイクロミラーなどの光スイッチを組み合わせた露光装置などであっても良い。
【００７６】
上記の本発明による各実施例においては、イレーズ手段としての発光素子１４は、導光板１２を介して感光体２に対して光を照射しているが、導光板１２を介することなく直接感光体２に光を照射してもよく、また、トナー残量検知においても、導光路１３を使用することなく、発光素子１４の光を受光素子１５に照射するようにしてもよい。
【００７７】
しかし、上記の本発明による各実施例に示すように、導光板１２や導光路等の導光手段を介して感光体２や受光素子１５に発光素子１４からの光を照射する場合には、小さな発光素子１４を利用できるだけでなく、他の手段の配置のための設計裕度が出るので好ましい。
【００７８】
また、上記の本発明による各実施例においては、この画像形成装置で使用される被印刷体として紙部材である用紙が使用されているが、プラスチックシート等のプラスチック材であってもよい。
【００７９】
さらに、上記の本発明による各実施例においては、印写ユニットとしてカラー画像を形成するのに必要なイエロー、マゼンタ、シアン、ブラックの4色分の印写ユニット（11a〜11d）が使用されているが、ブラックのみの１色分の印写ユニット１個であってもよく、また４回転の繰り返しの現像方式においても使用可能である。
【００８０】
上記の本発明による各実施例においては、画像形成ユニットである印写ユニット（11a〜11d）は、感光体２、現像手段４、トナー収容手段２１のすべてを備えた印写ユニット（11a〜11d）（実施例１及び１０）や現像手段４とトナー収容手段２１を備えた印写ユニット（11a〜11d）（実施例２〜９）を示してあるが、このような例に限らず、感光体２、現像手段４、トナー収容手段の少なくとも１つの手段のみを装置本体１から分離可能なユニットとしたものであってもよい。
【産業上の利用可能性】
【００８１】
本発明による画像形成装置は、上記実施例で示すカラープリンタ以外に、電子写真技術を用いて画像を形成する複写機、プリンタ、ファックス等にも適用可能である。
【図面の簡単な説明】
【００８２】
【図１】本発明による実施例１の画像形成装置の概略断面図（a）及び印写ユニットの概略断面図（b）である。
【図２】本発明の実施例２に係る画像形成装置の概略断面図である。
【図３】本発明の実施例３に係る画像形成装置の概略断面図である。
【図４】本発明の実施例４に係る画像形成手段の概略断面図である。
【図５】図4に示す画像形成手段のＡ-Ａ’線上の断面図である。
【図６】本発明の実施例５に係る画像形成手段の概略断面図である。
【図７】図6に示す画像形成手段のＢ-Ｂ’線上の断面図である。
【図８】本発明の実施例６に係る画像形成手段の概略断面図である。
【図９】本発明の実施例７に係る画像形成手段の概略断面図である。
【図１０】本発明の実施例８に係る現像器の概略断面図である。
【図１１】本発明の実施例９に係る現像器の概略断面図である。
【図１２】本発明の実施例１０に係る画像形成装置の概略断面図である。
【符号の説明】
【００８３】
１：装置本体、２：感光体、３：媒体搬送部材、４：現像器、５：露光器、６：帯電器、７：感光体クリーナ、８：現像ローラ、９：供給ローラ、10：転写ローラ、11：印写ユニット、12：導光板、13：      導光路、14：発光素子、15：受光素子、16：定着器、17：第2転写ローラ、18：ピックローラ、19：      用紙、20：現像器ケース、21：トナー容器、22：ベルトクリーナ      
【図１】
2006243629.tif 000003
【図２】
2006243629.tif 000004
【図３】
2006243629.tif 000005
【図４】
2006243629.tif 000006
【図５】
2006243629.tif 000007
【図６】
2006243629.tif 000008
【図７】
2006243629.tif 000009
【図８】
2006243629.tif 000010
【図９】
2006243629.tif 000011
【図１０】
2006243629.tif 000012
【図１１】
2006243629.tif 000013
【図１２】
2006243629.tif 000014